(57)【要約】      （修正有）【課題】被測定者の形状の異なる複数の採取部位から皮膚透過ガスを採取することのできる皮膚透過ガス採取装置を提供すること。【解決手段】皮膚透過ガス採取装置は、被測定者の形状の異なる皮膚透過ガスの採取部位、例えば上腕や脚に固定可能な固定部１０を有する。固定部１０は、上腕等に巻回することにより固定される帯状のカフ１１と、カフ１１に接着された密着部材１２とを備えている。密着部材１２は、採取部位の表面に密着する密着面１２Ａを有し、皮膚透過ガスの採取室１４が同密着面１２Ａの中央部を凹設して形成されている。【選択図】図１
2013113792.tif 000002
【特許請求の範囲】
【請求項１】
皮膚透過ガスの採取部位の形状に応じて固定可能な固定部を備え、該固定部は前記採取部位の表面に密着する密着面を有し、皮膚透過ガスの採取室が同密着面を凹設して形成されてなる皮膚透過ガス採取装置。
【請求項２】
請求項１において、
前記固定部は可撓性材料からなる。
【請求項３】
請求項２おいて、
前記固定部は帯状であるとともに前記採取部位に巻回することにより前記密着面を前記採取部位の表面に密着させるものであり、
前記固定部の巻回径を複数の異なる状態にて保持することが可能な保持機構をさらに備える。
【請求項４】
請求項３において、
前記固定部はその内部に流体が流入することにより膨張する膨張室を有する。
【請求項５】
請求項１において、
前記固定部は環状の弾性部材からなる。
【請求項６】
請求項１において、
前記固定部は前記採取室とは別の空間が前記密着面を凹設することにより形成されてなり、
前記空間と連通するとともに前記空間の内部の気体を吸引することにより前記空間を負圧とする負圧機構をさらに有する。
【請求項７】
請求項１において、
前記固定部は、採取部位を挟持するための対向配置された一対の挟持部と、これら挟持部を近接する方向に付勢する弾性機構とを有し、前記各挟持部の少なくとも一方は前記採取室が凹設される密着面を有してなる。
【請求項８】
請求項１において、
前記固定部は粘着性材料からなる粘着層を有し、該粘着層の表面が前記密着面とされてなる。
【請求項９】
請求項１〜８のいずれか一項において、
前記採取室には、キャリアガスが導入されるガス導入孔と、導入されたキャリアガスとともに採取された皮膚透過ガスを前記採取室からガス成分分析装置に導出させるガス導出孔とが設けられている。
【請求項１０】
請求項９において、
前記採取室は、前記ガス導入孔を始点とし、前記ガス導出孔を終点とするキャリアガスおよび皮膚透過ガスの流路として形成されてなり、該流路の流路断面積が始点から終点まで等しく設定されてなる。
【請求項１１】
請求項１０において、
前記流路が直線状である。
【請求項１２】
請求項１０において、
前記流路は蛇行する形状の部位を含む。
【発明の詳細な説明】
【技術分野】
【０００１】
本発明は、皮膚透過ガスの採取室を有する皮膚透過ガス採取装置に関する。
【背景技術】
【０００２】
被測定者の健康状態を把握するために、様々な生体サンプルを用いた分析が行われている。これら生体サンプルを用いた分析として、例えば被測定者の汗や呼気に含まれる微量成分を分析することにより、痛みを伴うことなく被測定者の健康状態を把握することができる。
【０００３】
近年、こうした生体サンプルとして被測定者の皮膚の表面から発生する微量のガス（皮膚透過ガス）が注目されている。皮膚透過ガスの成分は被測定者の血液の成分と相関を有することがわかっており、この皮膚透過ガスを生体サンプルとして採取してその成分を分析することにより被測定者の健康状態を把握することが可能となる。
【０００４】
例えば、こうした皮膚透過ガス採取装置として、特許文献１には、固定部を用いて指サックを採取部位である被測定者の手の指に固定し、指サックの内部、すなわち採取室に被測定者の指から発生する皮膚透過ガスを採取するようにしたものが記載されている。
【先行技術文献】
【特許文献】
【０００５】
【特許文献１】特開２００６−２３４８４３号公報
【発明の概要】
【発明が解決しようとする課題】
【０００６】
しかし、特許文献１に記載の皮膚透過ガス採取装置の採取室は、指サックを利用して形成されたものであるため、この採取室は被測定者の指から発生した皮膚透過ガスを採取することしかできず、形状の異なる他の採取部位から発生する皮膚透過ガスを採取するという点については、なお改善の余地があった。
【０００７】
本発明は、上記課題を解決するためになされたものであり、被測定者の形状の異なる複数の採取部位から皮膚透過ガスを採取することのできる皮膚透過ガス採取装置を提供することを目的とする。
【課題を解決するための手段】
【０００８】
・本発明の皮膚透過ガス採取装置は、皮膚透過ガスの採取部位の形状に応じて固定可能な固定部を備え、該固定部は前記採取部位の表面に密着する密着面を有し、皮膚透過ガスの採取室が同密着面を凹設して形成されてなることを特徴としている。
【０００９】
・この皮膚透過ガス採取装置においては、前記固定部は可撓性材料からなることが好ましい。
・この皮膚透過ガス採取装置においては、前記固定部は帯状であるとともに前記採取部位に巻回することにより前記密着面を前記採取部位の表面に密着させるものであり、前記固定部の巻回径を複数の異なる状態にて保持することが可能な保持機構をさらに備えることが好ましい。
【００１０】
・この皮膚透過ガス採取装置においては、前記固定部はその内部に流体が流入することにより膨張する膨張室を有することが好ましい。
・この皮膚透過ガス採取装置においては、前記固定部は環状の弾性部材からなることが好ましい。
【００１１】
・この皮膚透過ガス採取装置においては、前記固定部は前記採取室とは別の空間が前記密着面を凹設することにより形成されてなり、前記空間と連通するとともに前記空間の内部の気体を吸引することにより前記空間を負圧とする負圧機構をさらに有することが好ましい。
【００１２】
・この皮膚透過ガス採取装置においては、前記固定部は採取部位を挟持するための対向配置された一対の挟持部と、これら挟持部を近接する方向に付勢する弾性機構とを有し、前記各挟持部の少なくとも一方は、前記採取室が凹設される密着面を有してなることが好ましい。
【００１３】
・この皮膚透過ガス採取装置においては、前記固定部は粘着性材料からなる粘着層を有し、該粘着層の表面が前記密着面とされてなることが好ましい。
・この皮膚透過ガス採取装置においては、前記採取室にはキャリアガスが導入されるガス導入孔と、導入されたキャリアガスとともに採取された皮膚透過ガスを前記採取室からガス成分分析装置に導出させるガス導出孔とが設けられていることが好ましい。
【００１４】
・この皮膚透過ガス採取装置においては、前記採取室は、前記ガス導入孔を始点とし、前記ガス導出孔を終点とするキャリアガスおよび皮膚透過ガスの流路として形成されてなり、該流路の流路断面積が始点から終点まで等しく設定されてなることが好ましい。
【００１５】
・この皮膚透過ガス採取装置においては、前記流路が直線状であることが好ましい。
・この皮膚透過ガス採取装置においては、前記流路は、蛇行する形状の部位を含むことが好ましい。
【発明の効果】
【００１６】
本発明によれば、被測定者の形状の異なる複数の採取部位から皮膚透過ガスを採取することのできる皮膚透過ガス採取装置を提供することができる。
【図面の簡単な説明】
【００１７】
【図１】本発明の第１実施形態の皮膚透過ガス採取装置について、全体構成を模式的に示す斜視図。
【図２】皮膚透過ガス採取装置が採取部位に装着された状態を示す断面図。
【図３】密着面が採取部位と密着した状態を示す断面図。
【図４】成分分析装置の制御系の構成を示すブロック図。
【図５】本発明の第２実施形態の皮膚透過ガス採取装置について、全体構成を模式的に示す斜視図。
【図６】図５のＤＡ−ＤＡ線に沿う断面構造を示す断面図。
【図７】本発明の第３実施形態の皮膚透過ガス採取装置について、全体構成を模式的に示す側面図。
【図８】図７の矢視Ａからみた平面構造を示す平面図。
【図９】本発明の第４実施形態の皮膚透過ガス採取装置について、全体構成を模式的に示す部分断面図。
【図１０】同皮膚透過ガス採取装置の密着面の構造を示す底面図
【図１１】本発明の第５実施形態の皮膚透過ガス採取装置について、密着面の構造を示す背面図。
【図１２】本発明のその他の実施形態にかかる皮膚透過ガス採取装置について、密着面の構造を示す背面図。
【図１３】本発明のその他の実施形態にかかる皮膚透過ガス採取装置について、密着面の構造を示す背面図。
【発明を実施するための形態】
【００１８】
（第１実施形態）
図１を参照して、本発明の第１実施形態の皮膚透過ガス採取装置の全体構成について説明する。
【００１９】
図１に示されるように、皮膚透過ガス採取装置は、被測定者の形状の異なる皮膚透過ガスの採取部位、例えば上腕や脚に固定可能な固定部１０を有する。固定部１０は、上腕等に巻回することにより固定される帯状のカフ１１と、カフ１１に接着された密着部材１２とを備えている。密着部材１２は可撓性材料、具体的にはフッ素樹脂材料により形成されている。カフ１１は、内部に圧縮空気が流入することにより膨張する膨張室１１Ａを有するとともに、その両端部にはカフ１１の巻回径を複数の異なる状態にて保持することが可能な面ファスナー１３がそれぞれ設けられている。
【００２０】
密着部材１２は、採取部位の表面に密着する密着面１２Ａを有するとともに、同密着面１２Ａの中央部を凹設することにより皮膚透過ガスの採取室１４が形成されている。この採取室１４には、成分分析装置２０からキャリアガスが導入されるガス導入孔１４Ａと、導入されたキャリアガスとともに採取された皮膚透過ガスを採取室１４から成分分析装置２０に導出させるガス導出孔１４Ｂとが形成されている。また、採取室１４は、ガス導入孔１４Ａを始点としガス導出孔１４Ｂを終点とするキャリアガスおよび皮膚透過ガスの流路として機能する。この流路、すなわち採取室１４の形状は直線状をなしその流路断面積が始点から終点にわたって等しく設定されている。
【００２１】
成分分析装置２０には、ガス導入孔１４Ａと連通するガス導入管２１と、ガス導出孔１４Ｂと連通するガス導出管２２と、膨張室１１Ａと連通する空気流通管２４とがそれぞれ接続されている。
【００２２】
ガス導入管２１には、成分分析装置２０から採取室１４へのキャリアガスの流通を許容する一方、採取室１４から成分分析装置２０へのキャリアガスおよび皮膚透過ガスの流通を規制する逆止弁２５が設けられている。また、ガス導出管２２には、採取室１４から成分分析装置２０へのキャリアガスおよび皮膚透過ガスの流通を許容する一方、成分分析装置２０から採取室１４へのキャリアガスおよび皮膚透過ガスの流通を規制する逆止弁２６が設けられている。
【００２３】
次に、図２および図３を参照して、皮膚透過ガスが採取される態様について説明する。
図２に示されるように、膨張室１１Ａが膨張していない状態において、被測定者は、面ファスナー１３を接着することによりカフ１１を採取部位である上腕２００に巻回する。このようにカフ１１を上腕２００に巻回して面ファスナー１３を接着することにより密着面１２Ａの全体と上腕２００の表面とが密着する。
【００２４】
そして、図３の矢印に示されるように、成分分析装置２０から空気流通管２４を通じて膨張室１１Ａに圧縮空気が流入すると、膨張室１１Ａが膨張することにより密着面１２Ａの全体と上腕２００の表面とがさらに密着することとなる。
【００２５】
次に、図４を参照して、成分分析装置２０の構成について詳細に説明する。
成分分析装置２０は、各種制御を実行する制御部３０と、膨張室１１Ａに対する圧縮空気の給排を制御して採取部位を圧迫する状態と圧迫しない状態とに切り換える圧迫部４０とを有している。さらに、分析装置２０は、採取室１４にキャリアガスの導入を行うキャリアガス導入部５０と、皮膚透過ガスの成分の分析を行うガス分析部６０と、その分析結果を表示する表示部７１とを有している。なお、ガス分析部６０により得られた皮膚透過ガスの分析結果は、情報処理部７０によって表示部７１に表示するためのデータに変換される。
【００２６】
圧迫部４０は、膨張室１１Ａに圧縮空気を流入する加圧ポンプ４１と、膨張室１１Ａから圧縮空気を排出させる排気弁４２とを有している。圧迫部４０は、排気弁４２を閉弁するとともに加圧ポンプ４１を駆動することにより空気流通管２４を通じて膨張室１１Ａに圧縮空気を流入するように制御部３０により制御（加圧制御）される。その一方、圧迫部４０は、加圧ポンプ４１の駆動を停止するとともに排気弁４２を開弁することにより膨張室１１Ａから圧縮空気を排出するように制御部３０により制御（減圧制御）される。
【００２７】
キャリアガス導入部５０は、キャリアガスが貯留されるキャリアガス貯留室５１と、キャリアガス貯留室５１からガス導入管２１を通じて採取室１４にキャリアガスを導入する加圧ポンプ５２とを有している。キャリアガス貯留室５１には、成分分析装置２０の外部からキャリアガスボンベ５３を通じて常に所定量以上のキャリアガスが充填されている。なお、キャリアガスとしては、皮膚透過ガスのガス成分と反応しない不活性ガス、具体的には窒素ガスが用いられている。
【００２８】
ガス分析部６０は、採取室１４からガス導出管２２を通じて導出された皮膚透過ガスおよびキャリアガスを貯留するガス貯留室６１と、皮膚透過ガスの成分を検知するガス検知部６２と、検知された皮膚透過ガスの各種成分についてそれらの濃度を算出するガス濃度算出部６３とを有する。
【００２９】
ガス濃度算出部６３により算出された皮膚透過ガスの分析結果は情報処理部７０に入力され表示部７１に表示される。なお、分析が終了した皮膚透過ガスは、キャリアガスとともに成分分析装置２０の外部に排気される。
【００３０】
次に、本実施形態の皮膚透過ガス採取装置の作用について説明する。
カフ１１が上腕２００に巻回され成分分析装置２０によって分析が開始されると、制御部３０は上述した加圧制御を行う。すなわち、成分分析装置２０から空気流通管２４を通じて圧縮空気が膨張室１１Ａに導入される。これにより、採取室１４に上腕２００から発生する皮膚透過ガスが採取可能な状態となる。次に、成分分析装置２０からガス導入管２１およびガス導入孔１４Ａを通じて採取室１４にキャリアガスが導入される。この採取室１４に導入されたキャリアガスおよび採取室１４の皮膚透過ガスはガス導出孔１４Ｂおよびガス導出管２２を通じてガス分析部６０に導入され分析結果が表示部７１に表示される。成分分析装置２０による分析が終了すると、制御部３０は減圧制御を行う。すなわち、膨張室１１Ａから空気流通管２４を通じて圧縮空気が圧迫部４０に戻される。
【００３１】
本実施形態の皮膚透過ガス採取装置は以下の効果を奏する。
（１）密着部材１２は、採取部位、例えば上腕２００や脚の表面に密着する密着面１２Ａを有し、皮膚透過ガスの採取室１４が同密着面１２Ａの中央部を凹設して形成されている。そのため、形状の異なる採取部位に密着部材１２を固定することにより、採取室１４を通じて皮膚透過ガスが採取可能な状態になる。すなわち、特定の採取部位に限らず形状の異なる複数の採取部位から皮膚透過ガスを採取することができるようになる。
【００３２】
（２）密着部材１２は、可撓性材料であるフッ素樹脂材料により形成されている。そのため、密着部材１２が採取部位の表面の形状に応じて変形することにより密着面１２Ａが採取部位の表面に密着する。すなわち、密着面１２Ａと採取部位の表面との密着性を高めることができる。
【００３３】
（３）カフ１１は、帯状であるとともに採取部位に巻回することにより密着部材１２の密着面１２Ａを採取部位の表面に密着させるものであり、カフ１１の巻回径を複数の異なる状態にて保持することが可能な面ファスナー１３を備えている。そのため、面ファスナー１３を用いてカフ１１の巻回径を複数の異なる状態に変更することにより、被測定者の腕や脚といった複数の異なる採取部位から発生する皮膚透過ガスを採取することができる。
【００３４】
（４）カフ１１は、その内部に圧縮空気が流入することにより膨張する膨張室１１Ａを有する。そのため、カフ１１が採取部位に固定されている状態において、膨張室１１Ａに圧縮空気を流入することにより、カフ１１を膨張させることができる。これにより、密着面１２Ａを採取部位の表面に対して圧迫させることができるため、密着面１２Ａと採取部位の表面との密着性をより高めることができる。
【００３５】
（５）採取室１４には、キャリアガスが導入されるガス導入孔１４Ａと、導入されたキャリアガスとともに採取された皮膚透過ガスを採取室１４から皮膚透過ガスの成分分析装置２０に導出させるガス導出孔１４Ｂとが設けられている。この構成によれば、ガス導入孔１４Ａを通じてキャリアガスを採取室１４に導入することができるとともに、採取された皮膚透過ガスはガス導出孔１４Ｂを通じてキャリアガスとともに成分分析装置２０に導出される。すなわち、採取された皮膚透過ガスは速やかに採取室１４から回収されるため、より多くの皮膚透過ガスを採取することができる。
【００３６】
（６）採取室１４は、ガス導入孔１４Ａを始点とし、ガス導出孔１４Ｂを終点とするキャリアガスおよび皮膚透過ガスの流路として機能し、この流路の流路断面積が始点から終点まで等しく設定されている。そのため、採取室１４、換言すれば、キャリアガスおよび皮膚透過ガスの流路におけるガスの流速を一定に保つことができる。すなわち、特定の箇所で流路断面積が異なる流路と比較してキャリアガスおよび皮膚透過ガスを効率よく流通させることができる。
【００３７】
（７）採取室１４、換言すれば、キャリアガスおよび皮膚透過ガスの流路は直線状であるため、ガス導入孔１４Ａとガス導出孔１４Ｂとを最短距離で結ぶことができる。すなわち、直線状以外の形状である流路と比較して、より速やかにキャリアガスおよび皮膚透過ガスを流通させることができる。
【００３８】
（第２実施形態）
次に、図５および図６を参照して、本発明の第２実施形態について説明する。なお、以下の実施形態において、成分分析装置２０は、第１実施形態の成分分析装置２０から圧迫部４０を省略した点以外は同一の構成であるため、その制御系の構成についての説明は省略し、共通する構成については同一の符号を付してその説明を適宜省略する。
【００３９】
図５に示されるように、皮膚透過ガス採取装置は、形状の異なる皮膚透過ガスの採取部位、例えば上腕や脚に固定可能な環状の固定部８０を有する。固定部８０は弾性部材、具体的にはゴムにより形成されている。固定部８０は、上腕等の採取部位の表面に密着する密着面８１を有し、皮膚透過ガスの採取室８２が同密着面８１の中央部を凹設することにより形成されている。
【００４０】
図６に示されるように、採取室８２には、成分分析装置２０からキャリアガスが導入されるガス導入孔８２Ａと、導入されたキャリアガスとともに採取された皮膚透過ガスを採取室８２から成分分析装置２０に導出させるガス導出孔８２Ｂとが形成されている。また、採取室８２は、ガス導入孔８２Ａを始点としガス導出孔８２Ｂを終点とするキャリアガスおよび皮膚透過ガスの流路として機能する。この流路、すなわち採取室１４は一部を除き密着面８１のほぼ全周にわたり形成されている。また、その形状は曲線状をなしその流路断面積が始点から終点にわたって等しく設定されている。
【００４１】
次に、本実施形態の皮膚透過ガス採取装置の作用について説明する。
被測定者は、固定部８０の内径が自身の上腕等の採取部位の外径よりも大きくなるように固定部８０を弾性変形させた上で固定部８０を採取部位に挿通させる。そして、固定部８０が弾性変形前の状態に復帰することにより、密着面８１が採取部位の表面と密着することとなる。その後は上記第１実施形態と同様にキャリアガスが成分分析装置２０から採取室８２に導入されることにより皮膚透過ガスの成分が分析される。
【００４２】
本実施形態の皮膚透過ガス採取装置によれば、上記（１）、（５）および（６）の効果に加えて以下の効果を奏することができる。
（８）固定部８０を上腕等の採取部位に挿通後、固定部８０が、弾性変形前の状態に復帰することにより、密着面８１が採取部位の表面と密着することとなる。そのため、密着面８１と採取部位の表面との密着性を向上させることができる。
【００４３】
（９）固定部８０が上記第１実施形態のカフ１１に相当する機能と密着部材１２に相当する機能とを併せ有している。そのため、より簡単な構成で固定部８０を実現することができる。
【００４４】
次に、図７および図８を参照して、本発明の第３実施形態について説明する。
図７に示されるように、皮膚透過ガス採取装置は、形状の異なる皮膚透過ガスの採取部位、例えば手の甲や足の甲に固定可能な固定部１００を有する。
【００４５】
固定部１００は、採取部位を挟持するための対向配置された一対の板状の第１挟持部１１０および第２挟持部１２０と、これら各挟持部１１０，１２０を近接する方向に付勢する捩りばね１３０とを備えている。各挟持部１１０，１２０の捩りばね１３０が設けられる側の端部には、捩りばね１３０の付勢力と反対方向の力を各挟持部１１０，１２０に作用させるための一対の把持部１０１が形成されている。
【００４６】
第１挟持部１１０には、採取部位の表面に密着する密着面１１１Ａを有する粘着性ゲル１１１が設けられるとともに密着面１１１Ａには、採取部位を通電する電極パッド１１２が組み付けられている。なお、第１挟持部１１０の粘着性ゲル１１１が設けられる面と反対側の面には、成分分析装置２０が設けられている。すなわち、本実施形態における皮膚透過ガス採取装置では、皮膚透過ガスを採取する部分とそのガス成分を分析する分析装置とが一体化されており、装置全体のコンパクト化が図られている。
【００４７】
図８に示されるように、第２挟持部１２０には、採取部位の表面に密着する密着面１２１Ａを有する粘着性ゲル１２１が設けられるとともに皮膚透過ガスの採取室１２２が同密着面１２１Ａの中央部を凹設することにより形成されている。採取室１２２には、成分分析装置２０からキャリアガスが導入されるガス導入孔１２２Ａと、導入されたキャリアガスとともに採取された皮膚透過ガスを採取室１２２から成分分析装置２０に導出させるガス導出孔１２２Ｂとが形成されている。また、採取室１２２は、ガス導入孔１２２Ａを始点としガス導出孔１２２Ｂを終点とするキャリアガスおよび皮膚透過ガスの流路として機能する。この流路、すなわち採取室１２２の形状は直線状をなしその流路断面積が始点から終点にわたって等しく設定されている。
【００４８】
次に、本実施形態の皮膚透過ガス採取装置の作用について説明する。
被測定者は、捩りばね１３０の付勢力と反対方向の力、すなわち図７の矢印で示す方向の力を把持部１０１に作用させることにより各挟持部１１０，１２０を離間させる。
【００４９】
そして、手の甲等の採取部位を各挟持部１１０，１２０の間に挿入した後に、捩りばね１３０の付勢力と反対方向の力を解除することにより採取部位が各挟持部１１０，１２０により挟持される。その後は上記第１実施形態等と同様にキャリアガスが成分分析装置２０から採取室１２２に導入されることにより皮膚透過ガスの成分が分析される。
【００５０】
本実施形態の皮膚透過ガス採取装置によれば、上記（１）および（５）〜（７）の効果に加えて以下の効果を奏することができる。
（１０）密着面１２１Ａ、すなわち粘着性ゲル１２１からなる粘着層が採取部位の表面と密着するため、採取部位の表面と密着面１２１Ａとの密着性が粘着性ゲル１２１の粘着力により保持される。すなわち、密着面１２１Ａと採取部位の表面との密着性を向上させることができる。
【００５１】
次に、図９および図１０を参照して、本発明の第４実施形態について説明する。
図９に示されるように、皮膚透過ガス採取装置は、形状の異なる皮膚透過ガスの採取部位、例えば胸や背中に固定可能な固定部１４０を有している。
【００５２】
固定部１４０は、胸等の採取部位の表面に密着する密着面１４１を有するとともに皮膚透過ガスの採取室１４２が同密着面１４１を凹設することにより形成されている。
さらに、固定部１４０には、採取室１４２とは別の空間１４３が密着面１４１の中央部を凹設することにより形成されるとともに同空間１４３を負圧とする負圧機構１４４が設けられている。負圧機構１４４は、弾性部材、具体的にはゴムにより形成される押圧部１４５と、同押圧部１４５の内部と空間１４３とを連通する連通路１４６とを有している。
【００５３】
図１０に示されるように、採取室１４２には、成分分析装置２０からキャリアガスが導入されるガス導入孔１４２Ａと、導入されたキャリアガスとともに採取された皮膚透過ガスを採取室１４２から成分分析装置２０に導出させるガス導出孔１４２Ｂとが形成されている。また、また、採取室１４２は、ガス導入孔１４２Ａを始点としガス導出孔１４２Ｂを終点とするキャリアガスおよび皮膚透過ガスの流路として機能する。この流路、すなわち採取室１４２の形状は曲線状をなしその流路断面積が始点から終点にわたって等しく設定されている。
【００５４】
次に、本実施形態の皮膚透過ガス採取装置の作用について説明する。
図９の二点鎖線で示すように、被測定者は、押圧部１４５を押圧することにより押圧部１４５を弾性変形させた状態で密着面１４１を採取部位に密着させる。
【００５５】
次に、被測定者は、押圧部１４５の押圧状態を解除すると押圧部１４５が弾性変形前の状態に復帰することにより、空間１４３の空気が押圧部１４５により吸引される。これにより、密着面１４１と採取部位の表面とが密着する。その後は上記第１実施形態等と同様にキャリアガスが成分分析装置２０から採取室１４２に導入されることにより皮膚透過ガスの成分が分析される。
【００５６】
本実施形態の皮膚透過ガス採取装置によれば、上記（１）、（５）および（６）の効果に加えて以下の効果を奏することができる。
（１１）固定部１４０を採取部位に密着させた状態において、採取室１４２とは別に形成された空間１４３を負圧機構１４４を用いて負圧とするため、密着面１４１と採取部位の表面とを密着させることができる。すなわち、特定の採取部位に限らず形状の異なる複数の採取部位から皮膚透過ガスを採取することができる。
【００５７】
次に、図１１を参照して、本発明の第５実施形態について説明する。
図１１に示されるように、皮膚透過ガス採取装置は、形状の異なる皮膚透過ガスの採取部位、例えば手首や足首に固定可能な固定部１５０を有する。固定部１５０は可撓性材料、具体的にはフッ素樹脂材料により形成されている。
【００５８】
固定部１５０は、帯状であるとともに手首等の採取部位に巻回することにより手首の表面に密着する密着面１５１を有している。また、同密着面１５１の中央部を凹設することにより採取室１５２が形成されている。さらに、固定部１５０の一方の端部には、固定部１５０の巻回径を複数の異なる状態にて保持するための止め具１５３が設けられるとともに、他方の端部には止め具１５３が挿通される固定孔１５４が形成されている。
【００５９】
採取室１５２には、成分分析装置２０からキャリアガスが導入されるガス導入孔１５２Ａと、導入されたキャリアガスとともに採取された皮膚透過ガスを採取室１５２から成分分析装置２０に導出させるガス導出孔１５２Ｂとが形成されている。また、採取室１５２は、ガス導入孔１５２Ａを始点としガス導出孔１５２Ｂを終点とするキャリアガスおよび皮膚透過ガスの流路として機能する。この流路は流路断面積が始点から終点にわたって等しく設定されており、迂回する部分１５５を有する。
【００６０】
次に、本実施形態の皮膚透過ガス採取装置の作用について説明する。
被測定者は、止め具１５３を自身の手首等の採取部位の巻回径に応じた固定孔１５４に挿通することにより、固定部１５０を採取部位に固定する。これにより、密着面１５１が採取部位の表面と密着する。その後は上記第１実施形態等と同様にキャリアガスが成分分析装置２０から採取室１５２に導入されることにより皮膚透過ガスの成分が分析される。
【００６１】
本実施形態の皮膚透過ガス採取装置によれば、上記（１）〜（３）および（５）、（６）の効果に加えて以下の効果を奏することができる。
（１２）採取室１５２、すなわちキャリアガスおよび皮膚透過ガスの流路は迂回する部分１５５を有するため、流路全体が直線状である構成と比較して、密着面１５１に占める流路全体の面積を増加させることができる。すなわち、時間当たりにおける皮膚透過ガスの採取量を増大させることができる。
【００６２】
本発明の実施態様は、上記実施形態の内容に限られるものではなく、例えば以下のように変更することもできる。また、以下の変形例は上記実施形態についてのみ適用されるものではなく、異なる変形例同士を互いに組み合わせて実施することもできる。
【００６３】
・第１実施形態の皮膚透過ガス採取装置の採取部位は上腕や脚に限定されない。被測定者の腹等、密着面１２Ａを密着させることができる部位を採取部とすることができる。
・第２実施形態の皮膚透過ガス採取装置の採取部位は上腕や脚に限定されない。被測定者の手首等、固定部８０を挿通させることができ、かつ密着面８１を密着させることができる部位を採取部位とすることができる。
【００６４】
・第３実施形態の皮膚透過ガスの採取部位は手の甲や足の甲に限定されない。被測定者の上腕等、第１挟持部１１０および第２挟持部１２０によって挟持することができ、かつ密着面１２１Ａを密着させることができる部位を採取部位とすることができる。
【００６５】
・第４実施形態の皮膚透過ガスの採取部位は胸や背中に限定されない。被測定者の腹等、密着面１４１を密着させることができる部位を採取部位とすることができる。
・第５実施形態の皮膚透過ガスの採取部位は手首や足首に限定されない。被測定者の上腕等、固定部１５０を巻回でき、かつ密着面１５１を密着することができる部位を採取部位とすることができる。
【００６６】
・上記第１実施形態〜第５実施形態の皮膚透過ガス採取装置では、採取室にキャリアガスを導入することにより採取室の皮膚透過ガスを回収したが、キャリアガスを採取室に導入せずに吸引ポンプにより直接的に採取室から皮膚透過ガスを吸引して回収することもできる。
【００６７】
・上記第１実施形態〜第５実施形態の皮膚透過ガス採取装置では、分析が終了した皮膚透過ガスおよびキャリアガスの混合ガスは外部へ排気した。しかし、成分分析装置２０に同混合ガスから皮膚透過ガスの成分を除去するフィルターを介在させることとし、同フィルターを通過したキャリアガスをキャリアガス貯留室５１へ循環させる構成としてもよい。
【００６８】
・上記第１実施形態〜第５実施形態の皮膚透過ガス採取装置では、採取室の形状、すなわち、ガス導入孔を始点としガス導出孔を終点とする皮膚透過ガスおよびキャリアガスの流路の形状を適宜変更することができる。例えば、図１２に示されるように、ガス導入孔１６２Ａを始点としガス導出孔１６２Ｂを終点とし、蛇行する形状の部位１６３を有するように流路を設定することもできる。
【００６９】
この構成によれば、以下の効果を奏することができる。
（１３）流路の形状として蛇行する形状の部位１６３を有することにより、流路全体を直線状とした構成と比較して密着面に占める流路全体の面積を増加させることができる。すなわち、すなわち、時間当たりにおける皮膚透過ガスの採取量を増大させることができる。
【００７０】
また、蛇行する形状の部位１６３を有する流路の形状としては、この他、図１３に示される形状とすることもできる。このような場合には、ガス導入孔１７３Ａの近傍にガス導出孔１７３Ｂが配置されるように流路の形状を設定することにより、ガス導入管およびガス導出管がばらつくことを抑制することができる。
【符号の説明】
【００７１】
１０…固定部、１１Ａ…膨張室、１２Ａ…密着面、１３…面ファスナー（保持機構）１４…採取室、１４Ａ…ガス導入孔、１４Ｂ…ガス導出孔、２０…成分分析装置、８０…固定部、８１…密着面、８２…採取室、８２Ａ…ガス導入孔、８２Ｂ…ガス導出孔、１００…固定部、１１０…第１挟持部（挟持部）、１２０…第２挟持部（挟持部）、１２１…粘着性ゲル（粘着層）、１２１Ａ…密着面、１２２…採取室、１２２Ａ…ガス導入孔、１２２Ｂ…ガス導出孔、１３０…捩りばね（弾性機構）、１４０…固定部、１４１…密着面、１４２…採取室、１４２Ａ…ガス導入孔、１４２Ｂ…ガス導出孔、１４３…空間、１４４…負圧機構、１５０…固定部、１５１…密着面、１５２…採取室、１５２Ａ…ガス導入孔、１５２Ｂ…ガス導出孔、１５３…止め具（保持機構）１５４…固定孔（保持機構）、１６２Ａ…ガス導入孔、１６２Ｂ…ガス導出孔、１６３…蛇行する形状の部位、１７３Ａ…ガス導入孔、１７３Ｂ…ガス導出孔。
【図１】
2013113792.tif 000003
【図２】
2013113792.tif 000004
【図３】
2013113792.tif 000005
【図４】
2013113792.tif 000006
【図５】
2013113792.tif 000007
【図６】
2013113792.tif 000008
【図７】
2013113792.tif 000009
【図８】
2013113792.tif 000010
【図９】
2013113792.tif 000011
【図１０】
2013113792.tif 000012
【図１１】
2013113792.tif 000013
【図１２】
2013113792.tif 000014
【図１３】
2013113792.tif 000015